(57)【要約】【課題】  コンクリートとグリッド材との結合を強固にした、剛性の高い一体壁面工を用いた盛土補強土壁工法及びそれに用いる補強材と壁面工との結合方法を提供する。【解決手段】  剛性の高い一体壁面工を用いた盛土補強土壁工法において、補強盛土一次壁面に用いられる土のう２を補強材１で巻き込む工法であって、土のう２が積まれる補強材１の補強穴１Ａと前記土のう２に打設されるコンクリート壁３に設けられる裏側鉄筋５とを結合する結合手段としての結束線６を具備する。【選択図】  図１
2012144938.tif 000002
【特許請求の範囲】
【請求項１】
積層した仮抑え材の間に配置される補強材の補強穴と、前記仮抑え材により構築された一次壁面に打設される二次壁面としてのコンクリート壁に設けられる裏側鉄筋とを結合する結合手段を具備することを特徴とする剛性の高い一体壁面工を用いた盛土補強土壁工法。
【請求項２】
請求項１記載の剛性の高い一体壁面工を用いた盛土補強土壁工法において、前記結合手段が前記補強穴と前記裏側鉄筋とを結合する結束線であることを特徴とする剛性の高い一体壁面工を用いた盛土補強土壁工法。
【請求項３】
請求項１記載の剛性の高い一体壁面工を用いた盛土補強土壁工法において、前記結合手段が前記補強穴に前記裏側鉄筋を通すものであることを特徴とする剛性の高い一体壁面工を用いた盛土補強土壁工法。
【請求項４】
請求項３記載の剛性の高い一体壁面工を用いた盛土補強土壁工法において、前記補強穴は前記補強材の外周部である耳の部分に形成することを特徴とする剛性の高い一体壁面工を用いた盛土補強土壁工法。
【請求項５】
請求項４記載の剛性の高い一体壁面工を用いた盛土補強土壁工法において、前記補強穴のピッチを前記土のうに打設される前記コンクリート壁の前記裏側鉄筋のピッチに合わせたことを特徴とする剛性の高い一体壁面工を用いた盛土補強土壁工法。
【請求項６】
請求項１記載の剛性の高い一体壁面工を用いた盛土補強土壁工法において、前記補強材であるグリッド材を作製する過程で構成されるグリッド材の耳の部分に補強穴を空けたグリッド材を用いることを特徴とする剛性の高い一体壁面工を用いた盛土補強土壁工法。
【請求項７】
請求項６記載の剛性の高い一体壁面工を用いた盛土補強土壁工法において、主従方向の強度が同一のグリッド材を敷設する場合には、前記補強穴を長手方向に空け、該グリッド材を長手方向に敷設することを特徴とする剛性の高い一体壁面工を用いた盛土補強土壁工法。
【発明の詳細な説明】
【技術分野】
【０００１】
本発明は、鉄道、道路、宅地造成地などで構築する盛土補強土壁工法における、剛性の高い一体壁面工を用いた盛土補強土壁工法に関するものである。
【背景技術】
【０００２】
近年、鉄道盛土や道路盛土構造物において補強盛土の施工が増えてきている。補強盛土における補強材には、ジオテキスタイル（面状補強材）を用いる場合が多いが、のり面勾配が急になると壁面工が必要となる。壁面工には、土のうや溶接金網をジオテキスタイルで巻き込む形式の壁面工や、ジオテキスタイルと接続したＬ型エキスパンドメタルのような形式の壁面工も多く見られる。これらの壁面工は分割壁面と呼ばれている。
【０００３】
一方、前述の土のうや溶接金網等の仮抑え材をジオテキスタイルで巻き込む形式の壁面工を一次壁面とし、補強盛土の変形が収束してから、ジオテキスタイルと一体化する剛性の高い場所打ちコンクリート壁面を二次壁面として構築するＲＲＲ工法がある。一般的に、壁面工の剛性が高いほど補強盛土の耐力が向上することが明らかになっている。
この剛壁面補強土工法であるＲＲＲ工法においては、剛性の高い一体壁面は、盛土部に構築した一次壁面をグリッド材などのジオテキスタイルで覆われた状態にして、裏型枠がない状態で二次壁面としてのコンクリート壁面を打設する方法で構築される。
【先行技術文献】
【非特許文献】
【０００４】
【非特許文献１】龍岡文夫監修，「新しい補強土擁壁のすべて−盛土から地山まで−」，（株）総合土木研究所，平成１７年１０月
【非特許文献２】ＲＲＲ工法協会編，「ＲＲＲ−Ｂ工法（補強盛土工法）設計・施工マニュアル」，平成１３年３月
【発明の概要】
【発明が解決しようとする課題】
【０００５】
上記したように、従来の剛壁面補強土工法（ＲＲＲ工法）の一次壁面として用いられている仮抑え材には、ＲＲＲ工法用の「土のう」と溶接金網をＬ型に加工した「Ｌ型溶接金網」の２種類がある。
図４は従来の土のうを用いた仮抑えの施工状態を示す模式図、図５は従来の土のうのを用いた仮抑え（実施工）を示す図面代用写真である。
【０００６】
これらの図において、１０１は地盤、１０２は盛土、１０３はアンカー鉄筋、１０４は土のう袋（ＲＲＲ工法用）、１０５はジオテキスタイル、１０５Ａはそのジオテキスタイル１０５の巻き返し部分を示している。
図６は従来の溶接金網を用いた仮抑えの施工状態を示す模式図、図７は従来の溶接金網を用いた仮抑え（実施工）を示す図面代用写真である。
【０００７】
これらの図において、２０１は地盤、２０２はクラッシャランなどの砕石、２０３は溶接金網、２０４はジオテキスタイル、２０４Ａはジオテキスタイル２０４の巻き返し部分、２０５は盛土である。
上記した２種類の仮抑え材の場合とも、二次壁面としてのコンクリート壁面を構築するためのコンクリート型枠は、盛土内部から鉄筋または躯体定着金具を用いてアンカーし、ジオテキスタイルの一種であるグリッド材で覆われた状態の盛土部に構築した一次壁面に、裏型枠を用いないでコンクリートを打設する方法を採用している。そのため、まだ、固まっていない状態のコンクリートは、グリッド材の間から土のう内部の礫粒子又は溶接金網の間隙に浸透するので、コンクリートとグリッド材は一体化することになる。
【０００８】
しかしながら、グリッド材の材質・形状の違いによってはコンクリートの廻り込みが少なく、コンクリートとグリッド材との付着が十分に取れない場合が生じていた。
本発明は、上記状況に鑑みて、コンクリートとグリッド材との結合を強固にした、剛性の高い一体壁面工を用いた盛土補強土壁工法を提供することを目的とする。
【課題を解決するための手段】
【０００９】
本発明は、上記目的を達成するために、
〔１〕剛性の高い一体壁面工を用いた盛土補強土壁工法において、積層した仮抑え材の間に配置される補強材の補強穴と、前記仮抑え材により構築された一次壁面に打設される二次壁面としてのコンクリート壁に設けられる裏側鉄筋とを結合する結合手段を具備することを特徴とする。
【００１０】
〔２〕上記〔１〕記載の剛性の高い一体壁面工を用いた盛土補強土壁工法において、前記結合手段が前記補強穴と前記裏側鉄筋とを結合する結束線であることを特徴とする。
〔３〕上記〔１〕記載の剛性の高い一体壁面工を用いた盛土補強土壁工法において、前記結合手段が前記補強穴に前記裏側鉄筋を通すものであることを特徴とする。
〔４〕上記〔３〕記載の剛性の高い一体壁面工を用いた盛土補強土壁工法において、前記補強穴は前記補強材の外周部である耳の部分に形成することを特徴とする。
【００１１】
〔５〕上記〔４〕記載の剛性の高い一体壁面工を用いた盛土補強土壁工法において、前記補強穴のピッチを前記土のうに打設される前記コンクリート壁の前記裏側鉄筋のピッチに合わせたことを特徴とする。
〔６〕上記〔１〕記載の剛性の高い一体壁面工を用いた盛土補強土壁工法において、前記補強材であるグリッド材を作製する過程で構成されるグリッド材の耳の部分に補強穴を空けたグリッド材を用いることを特徴とする。
【００１２】
〔７〕上記〔６〕記載の剛性の高い一体壁面工を用いた盛土補強土壁工法において、主従方向の強度が同一のグリッド材を敷設する場合には、前記補強穴を長手方向に空け、該グリッド材を長手方向に敷設することを特徴とする。
【発明の効果】
【００１３】
本発明によれば、グリッド材の外周部（耳の部分）に補強穴（ハトメ）をあけ、この中にコンクリート壁の裏側鉄筋を通すことによって、あるいは結束線で補強穴（ハトメ）と裏側鉄筋とを結合することによって、コンクリート壁とグリッド材との付着力が従来の方法よりも増大し、コンクリート壁とグリッド材がより確実に一体化される。
【図面の簡単な説明】
【００１４】
【図１】本発明の実施例を示す剛性の高い一体壁面工を用いた盛土補強土壁工法の模式図（その１）である。
【図２】本発明の実施例を示す剛性の高い一体壁面工を用いた盛土補強土壁工法の模式図（その２）である。
【図３】本発明に用いる補強材としてのグリッド材の平面図である。
【図４】従来の土のうを用いた仮抑えの施工状態を示す模式図である。
【図５】従来の土のうを用いた仮抑え（実施工）を示す図面代用写真である。
【図６】従来の溶接金網を用いた仮抑えの施工状態を示す模式図である。
【図７】従来の溶接金網を用いた仮抑え（実施工）を示す図面代用写真である。
【発明を実施するための形態】
【００１５】
本発明の剛性の高い一体壁面工を用いた盛土補強土壁工法は、積層した仮抑え材の間に配置される補強材の補強穴と、前記仮抑え材により構築された一次壁面に打設される二次壁面としてのコンクリート壁に設けられる裏側鉄筋とを結合する結合手段を具備する。
また、補強材であるグリッド材を作製する過程で構成されるグリッド材の耳の部分（約５ｃｍ）に補強穴（ハトメ）を空けたグリッド材を用いる。
【００１６】
さらに、主従方向の強度が同一のグリッド材を敷設する場合には、前記補強穴（ハトメ）を長手方向に空け、このグリッド材を長手方向に敷設する。
【実施例】
【００１７】
以下、本発明の実施の形態について詳細に説明する。
図１は本発明の実施例を示す剛性の高い一体壁面工を用いた盛土補強土壁工法の模式図（その１）である。
図１において、１はグリッド材（補強材）、２は仮抑え材としての土のう、３は土のう２に打設されるコンクリート壁（壁厚３０ｃｍ程度）、４はコンクリート壁３に設けられる表側鉄筋、５はコンクリート壁３に設けられる裏側鉄筋、６は結束線である。ここでは、鉄筋からコンクリート壁３表面までの被り７は例えば７ｃｍ程度である。
【００１８】
図１に示すように、一次壁面として積層される土のう２の間にグリッド材１を盛土高さ１．５ｍごとに全層敷設配置する。なお、土のう２は必要に応じて別のグリッド材で巻き込むようにしている。グリッド材１には、後述する図３に示すように補強穴（ハトメ）１Ａが形成されており、その補強穴１Ａとコンクリート壁３内の裏側鉄筋５とを結束線６で結合するようにしている。
【００１９】
図２は本発明の実施例を示す剛性の高い一体壁面工を用いた盛土補強土壁工法の模式図（その２）、図３は本発明に用いる補強材としてのグリッド材の平面図であり、図３（ａ）はその平面図（その１）、図３（ｂ）はその平面図（その２）である。
図３（ａ）に示すように、コンクリート壁３の裏側鉄筋５の主筋ピッチ（２５〜３０ｃｍ程度）に合わせて、グリッド材１の耳の部分１Ｂに金属（アルミニウム）製の補強穴（ハトメ）１Ａをあけるようにしている。グリッド材１の幅は２ｍもしくは４ｍである。
【００２０】
また、図３（ｂ）に示すように、グリッド材１の長手方向に沿って耳の部分１Ｂに補強穴（ハトメ）１Ａをあける（他方の耳の部分は切り落とす）。ここでは、幅２ｍもしくは４ｍ、長さは５０ｍ程度（長手方向に敷設する場合）である。
図１で示す実施例では、グリッド材１の補強穴１Ａとコンクリート壁３の裏側鉄筋５を結束線６で結合しているが、図２に示す実施例では、グリッド材１の補強穴１Ａにコンクリート壁３の裏側鉄筋５を通して、コンクリート壁３とグリッド材１とを一体化して結合するようにしている。
【００２１】
なお、本発明は上記実施例に限定されるものではなく、本発明の趣旨に基づき種々の変形が可能であり、これらを本発明の範囲から排除するものではない。
【産業上の利用可能性】
【００２２】
本発明の剛性の高い一体壁面工を用いた盛土補強土壁工法は、コンクリートとグリッド材との結合を強固にした、剛性の高い一体壁面工を用いた盛土補強土壁工法として利用可能である。
【符号の説明】
【００２３】
１    グリッド材（補強材）
１Ａ    補強穴（ハトメ）
１Ｂ    グリッド材の耳の部分
２    土のう
３    コンクリート壁
４    表側鉄筋
５    裏側鉄筋
６    結束線
７    被り
【図１】
2012144938.tif 000003
【図２】
2012144938.tif 000004
【図３】
2012144938.tif 000005
【図４】
2012144938.tif 000006
【図６】
2012144938.tif 000007
【図５】
2012144938.tif 000008
【図７】
2012144938.tif 000009